(57)【要約】【課題】画像速度の高いビデオ信号を、ケーブルの使用可能最大長を犠牲にすることなく送受信することのできる、ビデオカメラおよび基地局用のTRIAXインタフェースを提供することである。【解決手段】ビデオ信号入力ポート(2)と、前記入力ポート(2)で受信されたビデオ信号の輝度成分([Y])を第1搬送波に変調するための第1変調器(4)と、該ビデオ信号のクロミナンス成分([B-Y],[R-Y])を第2搬送波に変調するための第2変調器(5)と、前記変調された搬送波をTRIAXケーブル(11)に出力するためのTRIAX出力ポート(10)とを有する形式のTRIAX送信機インタフェースにおいて、  前記第1変調器(4)は直交変調器(4)であり、2つのビデオ画像ラインの輝度成分を同時にかつ直交位相で前記第1搬送波に変調するよう構成されている。【選択図】図１
2006060785.tif 000002
【特許請求の範囲】
【請求項１】
TRIAXケーブル(11)上でビデオ信号を伝送するためのTRIAX送信機インタフェース(3)であって、
ビデオ信号入力ポート(2)と、前記入力ポート(2)で受信されたビデオ信号の輝度成分([Y])を第1搬送波に変調するための第1変調器(4)と、該ビデオ信号のクロミナンス成分([B-Y],[R-Y])を第2搬送波に変調するための第2変調器(5)と、前記変調された搬送波をTRIAXケーブル(11)に出力するためのTRIAX出力ポート(10)とを有する形式のTRIAX送信機インタフェースにおいて、
前記第1変調器(4)は直交変調器(4)であり、2つのビデオ画像ラインの輝度成分を同時にかつ直交位相で前記第1搬送波に変調するよう構成されている、ことを特徴とするTRIAX送信機インタフェース。
【請求項２】
請求項1記載のTRIAX送信機インタフェースにおいて、第1変調器(4)はメモリ(6I,6Q)を有し、該メモリは同時に変調された2つの画像ラインの少なくとも1つをバッファリングするように前記第1変調器に関連づけられている。
【請求項３】
請求項1記載のTRIAX送信機インタフェースにおいて、データはメモリ(6I,6Q) から、これらがメモリ(6I,6Q)に書き込まれた速度の半分で読み出される。
【請求項４】
請求項1または2記載のTRIAX送信機インタフェースにおいて、位相同期信号を前記変調された第1搬送波のI成分とQ成分に対して伝送するための手段を有する。
【請求項５】
請求項4記載のTRIAX送信機インタフェースにおいて、前記位相同期信号伝送手段は、I成分同期信号とQ成分同期信号をビデオ信号の垂直ブランキング期間で伝送するように構成されている。
【請求項６】
請求項4または5記載のTRIAX送信機インタフェースにおいて、前記同期信号はホワイトラインである。
【請求項７】
請求項4から6までのいずれか一項記載のTRIAX送信機インタフェースにおいて、前記同期信号は高周波成分を有する。
【請求項８】
請求項7記載のTRIAX送信機インタフェースにおいて、高周波成分を第1搬送波から導出するための分周器(8)を有する。
【請求項９】
請求項1から8までのいずれか一項記載のTRIAX送信機インタフェースにおいて、信号処理手段(9)が前記ビデオ信号入力ポート(2)と前記第2変調器(5)との間に接続されており、
該処理手段は、所定の時間単位でクロミナンス成分([B-Y],[R-Y])の2つのラインを受信し、これらから第2変調器(5)に供給すべき1つのラインを導出するように構成されている。
【請求項１０】
請求項1から9までのいずれか一項記載のTRIAX送信機インタフェース(3)と共働するためのTRIAX受信機インタフェース(18)であって、
TRIAXケーブル(11)に接続するためのTRIAX入力ポート(19)と、前記入力ポート(19)で受信された第1搬送波からビデオ信号の輝度成分を復調するための第1復調器(26)と、前記入力ポート(19)で受信された第2搬送波からビデオ信号のクロミナンス成分を復調するための第2復調器(30)とを有する形式のTRIAX受信機インタフェースにおいて、
前記第1復調器(26)は直交復調器であり、前記第1搬送波から2つのビデオ画像ラインの輝度成分を同時にかつ直交位相で復調するように構成されている、ことを特徴とするTRIAX受信機インタフェース。
【請求項１１】
請求項10記載のTRIAX受信機インタフェースにおいて、第1復調器(26)はメモリ(27,27Q)を有し、該メモリは同時に復調された２つの画像ラインの少なくとも1つをバッファリングするように前記第1変調器に関連づけられている。
【請求項１２】
請求項10記載のTRIAX受信機インタフェースにおいて、データはメモリ(27,27Q)から、該データがメモリ(27,27Q)に書き込まれた速度の2倍の速度で読み出される。
【請求項１３】
請求項10から12までのいずれか一項記載のTRIAX受信機インタフェースにおいて、前記変調された第1搬送波のI成分とQ成分に対する位相同期信号を、前記TRIAX入力ポート(19)において受信された信号中に検出するための手段(23,24,25)を有する。
【請求項１４】
請求項10から13までのいずれか一項記載のTRIAX受信機インタフェースにおいて、周波数に依存する利得を有する増幅器(21)が、前記TRIAX入力ポート(19)と前記第1復調器(26)との間に接続されている。
【請求項１５】
請求項13または請求項14記載のTRIAX受信機インタフェースにおいて、前記増幅器(21)の利得補正係数は、前記I成分またはQ成分の一方と他方の同期信号の高周波成分間のクロストークが最小になるよう第1復調器(26)によって制御される。
【請求項１６】
請求項１から9までのいずれか一項記載の送信機インタフェース(3)と、請求項10から15までのいずれか一項記載の受信機インタフェース(8)とがTRIAXケーブル(11)により接続されたTRIAX伝送システム。
【請求項１７】
請求項16記載の伝送システムにおいて、TRIAXケーブル(11)とは反対の群遅延特性を備えるオールパスフィルタ(22)を少なくとも1つ有する伝送システム。
【発明の詳細な説明】
【技術分野】
【０００１】
本発明は、広帯域の変調ビデオ信号を送信および受信するためのインタフェースに関するものであり、このインタフェースがとりわけビデオカメラおよびビデオカメラと通信する基地局用のものである。
【背景技術】
【０００２】
スタジオおよび電子フィールド制作に使用されるプロ用高解像度テレビジョン（ＨＤＴＶ）放送カメラは現在、光ケーブルまたはTRIAXケーブルと称される特殊同軸ケーブルを基地局との通信に使用している。基地局では画像データが1つまたは複数のカメラから収集され、処理される。光ケーブルは高いデータ伝送速度をカメラと基地局との間で可能にする。従って多くの専門家は、長期的には光ケーブル技術がカメラと基地局との接続に対する標準になると期待する。しかし現在のところ、光ファイバ技術は市場に浸透するにはいくつかの問題を抱えている。なぜならプロ用ビデオカメラが使用される多くの施設、例えばスポーツスタジアムにはTRIAXケーブルが敷設してあり、光ファイバは敷設されていないからである。従ってイベントを記録するためにTRIAX伝送技術を使用するプロデューサは自分のカメラを所定の場所に持ち込み、自分の基地局を設定し、カメラと基地局をその所定の場所に存在するTRIAXケーブルを使用して接続することができる。光ファイバ技術を使用するプロデューサは、光ファイバが存在することを当てにすることができない。従って同じイベントを記録するために、彼は自分のカメラと基地局を設定するだけでなく、配線も行わなければならない。このことは自分の機器のセットアップコストを上昇させるだけでなく、その信頼性を低下させる。さらに光ファイバコネクタの現在の技術はTRIAXコネクトと比較して、ホコリおよび湿気による汚染に対してより脆弱である。従ってTRIAX技術が将来的にもしばらくは使用され続けるであろう。
【０００３】
TRIAXケーブルでは、情報がカメラから基地局へおよび逆の場合も同様に、種々異なる周波数の複数の搬送波を使用して伝送される。これら搬送波のいくつかは、この搬送波に変調されたカメラビデオ信号の成分を有しており、ビデオ信号を基地局へ伝送する。他の搬送波は、伝送コントロール情報を基地局からカメラに伝送するため、基地局で変調される。これらの搬送波はすべてケーブル内で減衰を受け、このことはTRIAXケーブルが有することのできる長さの上限を定める。標準的カメラに対してこの上限は約3kmである。しかしビデオ信号の帯域幅がより大きいHDTVカメラに対してはTRIAXケーブルの使用可能最大長が1500mに低下する。
【０００４】
いくつかの適用では、とりわけスポーツイベントの記録の場合、毎秒あたりに通常の動作条件よりも多くの画像を発生したいという要望がある。発生される特別画像はスローモーションでの所定のアクションの再生に使用され、また運動する対象物のシャープネスを維持する。このことは標準TVカメラシステムでも同様のことである。同じことがHDTVカメラでも求められるが、特別画像も既存のTRIAXケーブルを介して伝送すべき場合にはより広い帯域幅が必要であるという問題が生じる。現在のHDTVビデオ信号は約25から130MHzの周波数レンジを占有するが、HDTV信号のスペクトルは画像速度の上昇と共により高い周波数に拡張しなければならないこととなる。しかし減衰は周波数と共に増大するから、このことはケーブルの使用可能最大長をさらに低下させる。使用可能最大長が設置されたケーブルの長さを下回れば、このシステムが動作不能になることは明白である。
【発明の開示】
【発明が解決しようとする課題】
【０００５】
本発明の課題は、画像速度の高いビデオ信号を、ケーブルの使用可能最大長を犠牲にすることなく送受信することのできる、ビデオカメラおよび基地局用のTRIAXインタフェースを提供することである。
【課題を解決するための手段】
【０００６】
この課題は、TRIAX送信機インタフェースに対しては請求項1に定義したように、例えばカメラヘッドからインタフェースの入力ポートで受信したビデオ信号の輝度成分を変調するための第1変調器として直交変調器を設け、この直交変調器は2つのビデオ画像ラインの輝度成分を同時に直角位相で第1搬送波に変調するように構成されているようにして解決される。この直交変調器は実質的に、TRIAXケーブルを介して伝送することのできる輝度情報の速度を倍にし、しかもこの輝度情報により占有される周波数レンジが増大することもない。従って既存のTRIAXケーブルが従来のHDTV信号の伝送に対して使用可能であると見なされれば、本発明のインタフェースを使用することにより、同じケーブルが、フレーム速度が通常のHDTV信号の2倍であるビデオ信号の輝度成分を伝送できると期待することができる。
【発明を実施するための最良の形態】
【０００７】
もちろん直交変調を使用することにより輝度信号は、同相成分と直交成分との間のクロストークの影響を受けやすくなる。しかしこのようなクロストークを完全には回避できなくても、クロストークの作用は、同時に第1搬送波に変調された2つの画像ラインに含まれる情報が似ていれば小さいものであることが期待できる。なぜならこれら2つのラインは同じ画像での空間的に隣接するラインだからである。
【０００８】
両方の場合で、前記２つの画像ラインは異なる時点で送信機インタフェースの入力ポートで受信されることになるから、第1変調器は有利には、２つの画像ラインの少なくとも1つをバッファリングするためにメモリを有する。
【０００９】
変調された第1搬送波のI成分とQ成分への受信機インタフェースの同期を容易にするために、送信機インタフェースは有利には、これら2つの成分に対する位相同期信号を伝送するための手段を有する。
【００１０】
この同期信号は有利にはビデオ信号の垂直ブランキング期間で、例えばホワイトラインの形態で伝送される。
【００１１】
輝度情報の周波数帯域における群遅延差を補償するために、高周波成分は同期信号の少なくとも1つに含まれるべきである。
【００１２】
第1搬送波に対して固定の位相関係を有するこのような高周波成分は有利には、高周波成分を第1搬送波自体から導出するための分周器を使用して含まれる。
【００１３】
送信機インタフェースは、第2搬送波上のビデオ信号のクロミナンス成分を変調するための第2変調器を有する。この第2変調器は直交変調器とすることができる。従ってクロミナンス成分を伝送するために割り当てられた第2搬送波を中心にする周波数インターバルが非常に効率的に使用される。そしてより多くの情報をこの周波数インターバルに、変調形式を変更することによって押し込むことは不可能である。従って本発明は、送信機インタフェースのビデオ信号入力ポートとその第2変調器との間に接続された信号処理手段を提供する。この信号処理手段は、クロミナンス成分の2つのラインを所定の時間単位で受信し、そこから第2変調器に供給すべきシングルラインが導出されるように構成されている。
【００１４】
このシングルラインは例えば単純な低減により、すなわち受信されたクロミナンス成分の各2つのラインの１つを破棄することにより、または2つのラインの同じ水平位置にあるピクセルペアを平均することにより、または適切な補間スキームを適用することにより得られる。いずれの場合でも、処理手段は垂直方向におけるクロミナンス成分の解像度を係数2により低減する。
【００１５】
さらに本発明の課題は請求項9に記載されたTRIAX受信機により解決される。このTRIAX受信機は、第1の変調器として直交変調器を有し、この直交変調器は2つのビデオ画像ラインのクロミナンス成分を同時に、受信機インタフェースのTRIAX入力ポートで受信された高周波ビデオ信号の第1搬送波の直角位相で復調するように構成されている。送信機インタフェースと同じように、受信機インタフェースは有利には、同時に復調された２つの画像ラインの少なくとも1つをバッファリングするためにその第1変調器に関連するメモリを有する。さらに受信機インタフェースは有利には、変調された第1搬送波のＩ成分とQ成分の位相同期信号を検出するための位相同期信号検出手段を有する。TRIAXケーブルの周波数依存性の減衰を補償するために、受信機インタフェースは、そのTRIAX入力ポートと前記第1復調器との間に接続された、利得が周波数に依存する増幅器を有する。
【００１６】
前記増幅器段の利得補正係数を調整するための基準として、前記I成分またはQ成分のうちの１つの同期信号の高周波周波数成分と、第1変調器により得られた前記I成分またはQ成分の他方との間のクロストーク量が使用される。
【００１７】
本発明はさらに、上記の送信機インタフェースと受信機インタフェースと、それらインタフェースの間に接続されたTRIAXケーブルを含むTRIAX伝送システムに関連する。このようなシステムでは、TRIAXケーブルのオールパスフィルタと反対の群遅延特性を有するオールパスフィルタを設けることができ、有利には分散した形態でTRIAXケーブルに沿って、または送信機インタフェースまたは受信機インタフェースに集中して設けることができる。
【００１８】
本発明のさらなる対象および利点は、有利な実施例の以下の説明から明らかとなる。
【実施例】
【００１９】
図1で、参照番号1は高解像度ビデオカメラヘッドを示し、このカメラヘッドは輝度成分[Y]と２つのクロミナンス成分[R-Y]、[B-Y]を含むベースバンドビデオ信号を3つのラインに出力する。カメラヘッドは通常動作モードと高速動作モードを有し、通常動作モードでカメラヘッドは約30/sの速度で画像を出力し、高速動作モードでは毎秒の画像速度は通常モードの2倍である。
【００２０】
カメラヘッド１からの3つのラインは、TRIAX送信機インタフェースのベースバンド入力ポート２に接続されており、送信機インタフェースは一般的に3により示されている。インタフェース3で輝度成分[Y]はスイッチ12に達し、ここで輝度成分は2つのバッファ6I,6Qの1つに、スイッチ12の位置に応じて分配される。バッファ6I,6Qの出力ポートは第1直交変調器4の同相入力ポートIおよび直交入力ポートQに接続されている。第1局所発振器7は56MHzの搬送波信号を変調器4に供給する。同じ搬送波信号が分周器8に供給される。
【００２１】
第2変調器5は同相入力端Iと直交入力端Qを有し、これらは入力ポート２の[R-Y]ラインと[B-Y]ラインに帯域幅低減回路9を介して接続されている。
【００２２】
カメラヘッド1が通常モードにある場合、帯域制限回路9はアイドル状態であり、クロミナンス信号[R-Y]、[B-Y]は変調されずにこれを通過する。
【００２３】
スイッチ12は輝度信号[Y]をバッファ６Iだけに伝送し、バッファ６Iは輝度信号を遅延なしで変調器４の同相入力端Iに供給する。従ってバッファ6Qはデータを受信せず、ゼロである一定の出力を供給する。これにより変調器４の出力はその同相入力だけによって決められる。2つの変調器4，5からの出力信号をインタフェース3のTRIAX出力ポート10で重畳することにより、TRIAXケーブル11で伝送するのに適した従来の高周波変調ビデオ信号が得られる。
【００２４】
図2はこのような高周波変調信号のスペクトルを示す。このスペクトルは輝度バンドを56MHzを中心にして、クロミナンスバンドを112MHzを中心にしてそれぞれ有する。このスペクトルは、カメラへのおよびカメラからの情報伝送のための他のバンドも有するが、それらについてはここでは論議しない。
【００２５】
カメラヘッド１が高速モードで動作する場合、インタフェース３の入力ポート２で受信されるビデオ信号のライン期間（以下、高速カメラライン期間とする）は、通常カメラライン期間の半分である。すなわち2つの画像ラインが、通常モードで受信される1つのラインのタイムインターバルで受信される。
【００２６】
高速モードではスイッチ12がライン・バイ・ラインベースに切り替わる。すなわちカメラヘッド１からの奇数番号の画像ラインは、遅延バッファ6Qにバッファされた輝度成分を有し、この輝度成分は変調器４の同相入力端Iでは受信されない。後続の偶数番号画像ラインはカメラヘッド1から出力される場合、そのデータは変調器4のバッファ６Iにバッファされ、同時にデータはバッファ６I,6Qから読み出され、第1変調器４に入力される。データがバッファ６または６Qから読み出される速度は、これらが書き込まれる速度の半分である。すなわち変調器4は変調器ライン期間で動作し、この変調器ライン期間は通常カメラライン期間と同じであるか、または高速カメラライン期間の2倍である。偶数番号ラインがインタフェース3により完全に受信されている場合、2つのラインの最初の半分だけが変調器4に入力されている。これらラインの第2の半分は変調器4に、後続の高速カメラライン期間の間に入力され、その間に、後続の奇数番号ラインはバッファ6Qに書き込まれる。
【００２７】
図3に示した単純な実施例によれば、帯域幅低減回路３はスイッチ16とバッファ13から形成され、バッファ13はスイッチ16が閉じているときにクロミナンスデータを入力ポート2から受信する。スイッチ16は開位置と閉位置との間を、入力ビデオ信号の1つの画像ラインから次の画像ラインへの各変化の際に切り替わる。これによりバッファ13は奇数番号ラインまたは偶数番号ラインのクロミナンスデータだけを受信し、各他方のラインは破棄される。データがバッファ13から第2変調器5へ伝送される速度は、通常モードでも高速モードでも同じである。従って第2直交変調器5は、HDTVクロミナンス信号をTRIAXラインを介して伝送するのに使用される従来の形式とすることができ、従ってここで詳細に説明する必要はない。
【００２８】
図4に示した有利な実施例によれば、各帯域幅低減回路9は2つのバッファ13a,13bを有し、それらのうちの1つがスイッチ16により入力ポート2に接続される。バッファ13a,13bは同期して読み出され、これにより隣接する画像ラインの同じ水平位置に相応するデータがバッファ13a,13bから同時に読み出され、バッファ13a,13bの出力端に接続された加算回路14に供給される。加算器１４の出力端と変調器５の入力端との間には、加算器14の出力を2により割り算するための割り算回路15が配置されている。この割り算回路の出力はバッファ13a,13bからのデータ出力の平均に相応する。
【００２９】
所望であれば帯域幅低減回路は、最近の画像ラインの任意の数を記憶するために2つ以上のバッファを有することもでき、加算器１４と割算器１５はより洗練された算術回路により置換することができる。この算術回路は、変調器５に供給すべきクロミナンスデータを有利な所定の規則により、種々のバッファから同時に読み出されたデータに基づいて計算する。
【００３０】
図2から分かるように、直交変調された変調器5からのクロミナンス信号は、その112MHzの搬送波周波数を中心にして約30MHzの帯域幅を有する。一方、56MHzを中心にする輝度成分は約60MHzの幅を有する。これは、クロミナンス成分の水平解像度が輝度成分の半分だけであるためである。すなわちカメラヘッド1により画像ライン当たりで供給されるクロミナンスデータの数は、輝度データの数の半分である。
【００３１】
受信機が変調器4の出力のI成分とQ成分を区別することができるようにするため、受信機には2つの成分の位相を受信機で導出することができるようにする情報を供給しなければならない。カメラヘッド1から供給されるビデオ信号のライン数はスクリーンに実際に表示することのライン数よりも通例は多いから、非表示ラインを種々の形式のコントロール情報の伝送に使用することができる。ビデオ信号の各フレームで、これら非表示ラインが垂直ブランキング期間と称される連続ブロックを形成する。
【００３２】
各ブランキング期間でいわゆる2つのホワイトラインが発生される。すなわち輝度信号[Y]が、垂直ブランキング期間の1高速カメラライン期間の間、最大輝度に相応する一定レベルに保持される。ここではホワイトラインがカメラヘッド1により発生されると仮定される。しかし実際にはホワイトラインを発生し、これを輝度成分[Y]に挿入するための回路をインタフェース3自体に設けることもできる。これらホワイトラインの一方は偶数番号であり、従って変調器4のI入力端にスイッチ12により供給され、他方の奇数番号のホワイトラインはQ入力端に供給される。変調器4の出力端でこれら2つのホワイトラインは90゜の位相差で2つの連続波を形成する。偶数番号のホワイトラインは変調器4の同相入力端Iに供給されるとき、分周器8からの26MHzの信号がこれに重畳される。すなわち変調器4での変調後にこの連続波のスペクトルは28MHz，56MHzおよび84MHzで成分を有し、一方、他方のスペクトルは56MHzに1つの成分を有するだけである。
【００３３】
送信機インタフェース3からのHFビデオ信号出力がTRIAXケーブル11に沿って伝播するとき、このHFビデオ信号は周波数に依存する減衰と位相シフトを受ける。すなわちこの信号がTRIAX受信機インタフェース18に、ケーブル11の他方の端部で到着するとき、同じ搬送波の上側側波帯と下側側波帯とでは振幅が異なっており、2つの側波帯間に位相シフトも存在する。
【００３４】
この問題をどのように解決するかを説明する前に、TRIAX受信機インタフェースの構造を図1に基づいて簡単に説明する。受信機インタフェース18のTRIAX入力ポート19には周波数分離フィルタ20が設けられており、HFビデオ信号の輝度帯域とクロミナンス帯域を分離する。周波数分離フィルタ20の輝度出力端は増幅器21と接続されており、この増幅器の利得gは実質的に周波数fの線形関数であるg=af+b。ここで係数a,bは回路23,24により制御され、これにより、輝度成分の下側側波帯と上側側波帯は同じ所定の電力レベルを有する。
【００３５】
増幅器21の出力端はオールパスフィルタ22の入力端と接続されている。このオールパスフィルタは輝度成分に、周波数に依存する位相シフトをコントロール回路25の制御の下で与える。コントロール回路25はオールパスフィルタ22の出力から、偶数番号ホワイトラインのそれぞれ上側側波帯と下側側波帯を検出する。この偶数番号ホワイトラインには分周器8からの28MHz信号が送信機インタフェース3で重畳されている。送信機インタフェース3で、2つの側波帯間の位相差は局所発振器７と分周器8からの信号間の位相関係により定められる。分周器の出力は局所発振器７から直接的に導出されるから、2つの側波帯間には厳密に一定の既知の位相差が存在する。受信機インタフェース18でコントロール回路25は、オールパスフィルタ22の出力端における2つの側波帯間の位相差が送信機インタフェース3で側波帯が有していた既知の位相差からどれだけ異なっているかを検出し、オールパスフィルタ22の周波数依存性の位相シフト特性を制御する。これにより予想位相差が復元される。
【００３６】
オールパスフィルタ22は伝送システムの他の場所にも配置できることを述べておく。例えばオールパスフィルタは周波数分離フィルタ20と増幅器21との間に配置することができ、またはフィルタ20の上流に配置することもできる。この場合、オールパスフィルタはクロミナンス成分の位相遅延に作用する。実際にはオールパスフィルタは送信機インタフェース3またはケーブル11に沿ったいずれかの個所にも配置することができ、コントロール回路25によってコントロール信号を使用して遠隔で制御することができる。コントロール信号はTRIAXケーブル11内を受信機インタフェース18から送信機インタフェース3に向かってコントロール帯域を伝播する。コントロール帯域は図2には1から5MHzの間の搬送波周波数を中心にして示されている。
【００３７】
オールパスフィルタ22からの出力信号は第1直交復調器26で復調される。復調器26は、各垂直ブランキング期間で2つのホワイトラインを検出し、これらから同相成分と直交成分の位相を検出し、相応にして2つの局所発振器信号の位相を設定するように構成されている。この局所発振器信号はオールパスフィルタ22からの信号と復調器26で乗算され、ベースバンドにおける輝度信号のI成分とQ成分が復元される。復調されたホワイトラインの電力レベルは上記の回路23，24により受信される。一方の回路23は2つの電力レベルの差を検出し、増幅器21の利得関数の係数aを調整し、これにより差を低減して最終的にゼロにする。他方の回路24は2つのホワイトラインの一方の電力レベルを所望の値と比較し、係数bを増加または低減して、電力レベルが最終的に所望の値になるよう設定する。このようにして、オールパスフィルタ22と増幅器21をケーブル11の減衰特性に適合するための所定の収斂時間後に、輝度信号のI成分とQ成分は復調器26の出力端で復元され、変調器4の入力信号と等しくなる。その結果、増幅器21の利得が調整され、I成分とQ成分との間のクロストークは低減され、理想的にはゼロになる。
【００３８】
復元されたライン信号は復調器26の出力端I,Qに同時に出現し、バッファ27I,27Qに書き込まれる。バッファ27I,27Qの動作は、送信機インタフェース3のバッファ6I,6qの動作と反対である。奇数番号ラインのデータがバッファ27Q にキャプチャされている場合、ベースバンド出力ポート29におけるこれらのデータの出力はスイッチ28を介して、データがバッファ27Qに書き込まされる速度の2倍で開始する。従って復調器26がこのラインの出力を終了するとき、バッファ27Qは空である。この時点で、偶数番号画像ラインのデータが完全にバッファ27Iにキャプチャされており、このラインがポート29の出力である。一方、ラインの後続ペアは復調器26で復調される。
【００３９】
受信機インタフェース18において輝度成分を復調するための回路は実質的に従来のHDTV受信機インタフェースのそれと同じである。従ってここでは詳細には説明せず、図には簡単に第2復調器30として示されている。この第2復調器30はクロミナンス成分を周波数分離フィルタ20から受信し、それらからベースバンドクロミナンス信号[B-Y],[R-Y]を復元する。相違点は、高速動作モードの場合、クロミナンスデータの各ラインは復調器30からの2回の連続する出力であることである。従って出力ポート29の出力である復元された画像は、クロミナンスデータが同じであるラインのペアから形成される。すなわち高速動作モードでのポート29における画像の垂直クロミナンス解像度は、通常モードの垂直クロミナンス解像度と垂直輝度解像度の半分しかない。しかしこの解像度のロスはほとんど知覚されない。なぜなら従来のTV画像において、水平方向のクロミナンス解像度は輝度解像度の半分しかないからである。従って本発明により、水平方向と垂直方向のクロミナンス解像度は高速動作モードでは単純に同じに形成される。一方、輝度解像度は通常動作モードから高速動作モードに切り替わっても影響を受けない。なぜなら信号の輝度バンドにおけるデータ速度はTRIAXケーブル11では、使用される直交変調により2倍になるからである。
【図面の簡単な説明】
【００４０】
【図１】本発明によるTRIAXインタフェースとケーブル接続を備える伝送システムの簡素化したブロック回路図である。
【図２】TRIAXケーブル上のHDTV信号のスペクトルを表す概略線図である。
【図３】HDTV信号のクロミナンス成分に対する帯域幅低減回路の第1実施例を示す図である。
【図４】帯域幅低減回路の第2実施例を示す図である。
【図１】
2006060785.tif 000003
【図２】
2006060785.tif 000004
【図３】
2006060785.tif 000005
【図４】
2006060785.tif 000006